(57)【特許請求の範囲】
【請求項１】
間隔を置いて並ぶ一対の天井板と、この一対の天井板の各対向端部を支持する相平行な一対のバーを備えたシステム天井において、
前記一対のバーはそれぞれ、前記天井板の前記端部の下面を支持する天井板当接部を有し、この天井板当接部より斜め上方に延出した反射面となる斜面板を有し、天井設備を載せる載せ掛け部を前記斜面板の上端部より前記天井板側に平行に延出し、前記バーを吊り具に取付ける取付部を、前記載せ掛け部の前記天井板側の端部に垂直に立設し、前記取付部の上端部に前記吊り具を取付けるための取付用平板を有し、前記取付用平板の自由端に垂下部を有し、
さらに前記天井当接部、前記斜面板および前記載せ掛け部に連続して当接する連結金具の一側が嵌合する折返し部を前記天井当接部の先端に形成し、前記連結金具の他側が係止する突条部を前記取付部と前記載せ掛け部との折曲部に垂下したシステム天井。
【請求項２】
ランプの少なくとも一部が前記斜面板の上端より下に位置するように前記バーに照明器具を設置した請求項１記載のシステム天井。
【請求項３】
前記ランプの下部で前記斜面板間に配光制御部材を配設した請求項２記載のシステム天井。
【発明の詳細な説明】
【０００１】
【発明の属する技術分野】
この発明は、照明器具、空調リターン、空調吹き出し口などの天井設備を設置できるシステム天井に関するものである。
【０００２】
【従来の技術】
従来例（例えば特開平9-235815号) は、システム天井において、縦片の下端部に天井板を支持する第１の横片とその反対側に第１の横片よりも上側に位置するように突設した第２の横片を有する一対のバーを平行に配設し、第２の横片間に照明器具等の設備部材を設けている。
【０００３】
【発明が解決しようとする課題】
しかし、照明器具を設置する場合、第２の横片が短いので、照明器具の反射板として利用しても十分に反射機能を発揮できず、また第２の横片を設けるためバー構造が複雑になる。
【０００４】
したがって、この発明の目的は、簡単な構造で照明器具用の反射板として機能できるバーを有するシステム天井を提供することである。
【０００５】
【課題を解決するための手段】
請求項１記載のシステム天井は、間隔を置いて並ぶ一対の天井板と、この一対の天井板の各対向端部を支持する相平行な一対のバーを備えたシステム天井において、
前記一対のバーはそれぞれ、前記天井板の前記端部の下面を支持する天井板当接部を有し、この天井板当接部より斜め上方に延出した反射面となる斜面板を有し、天井設備を載せる載せ掛け部を前記斜面板の上端部より前記天井板側に平行に延出し、前記バーを吊り具に取付ける取付部を、前記載せ掛け部の前記天井板側の端部に垂直に立設し、前記取付部の上端部に前記吊り具を取付けるための取付用平板を有し、前記取付用平板の自由端に垂下部を有し、
さらに前記天井当接部、前記斜面板および前記載せ掛け部に連続して当接する連結金具の一側が嵌合する折返し部を前記天井当接部の先端に形成し、前記連結金具の他側が係止する突条部を前記取付部と前記載せ掛け部との折曲部に垂下したものである。
【０００６】
請求項１記載のシステム天井によれば、斜面板を照明器具反射面として利用することにより十分な反射機能を得ることができ、従来の横片を短縮することができ、構造を簡単にすることができる。
斜面板の上端部より照明器具を載せる載せ掛け部を天井板に向けて延ばすことにより、斜面板の全体を反射面とすることができる。
バーを吊り具に取付ける取付部を垂直に立設することにより載せ掛け部に設置する設備部材の横方向の移動を防止することができる。
取付部の上端部に吊り具を取付けるための取付用平板を有するため、取付用平板に天井下地のＣチャンネルを密着させることにより、バーの取付時の傾き防止が容易に行なえる。
取付用平板の自由端に垂下部を有するため、垂下部によりバーの吊り具の移動防止が容易に行なえる。
【００１９】
請求項２記載のシステム天井は、請求項１において、ランプの少なくとも一部が前記斜面板の上端より下に位置するように前記バーに照明器具を設置したものである。
【００２０】
請求項２記載のシステム天井によれば、請求項１と同様な効果のほか、ランプが斜面板に位置することにより、照明の配光制御を斜面板で行なうことができる。
【００２１】
請求項３記載のシステム天井は、請求項２において、前記ランプの下部で前記斜面板間に配光制御部材を配設したものである。
【００２２】
請求項３記載のシステム天井によれば、請求項２と同様な効果のほか、例えば配光制御用ルーバをバーに取付けることにより照明の質の変化が可能になる。
【００２３】
【発明の実施の形態】
この発明の第１の実施の形態を図１から図４により説明する。すなわち、このシステム天井は、バー１、２と、天井板３と、吊り具４と、天井下地材のＣチャンネル５と、照明器具６を有する。
【００２４】
このシステム天井は、間隔１３を置いて並ぶ一対の天井板３と、この一対の天井板３の各対向端部を支持する相平行な一対のバー１、２を備えたものである。
【００２５】
一対のバー１、２はそれぞれ、天井板３の端部の下面を支持する天井板当接部７を有し、この天井板当接部７より図のように斜め上方に延出した斜面板８を有する。さらに天井設備たとえば照明器具６を載せる載せ掛け部９を斜面板８の上端部より天井板３側に平行に延出し、バー１、２を取付ける取付部１０を載せ掛け部９の天井板３側の端部に垂直に立設し、取付部１０の上端部に取付用平板１１を有し、取付用平板１１の自由端に垂下部１２を有する。実施の形態において、強度を確保する等のため天井当接部７の先端に折返し部を設け、載せ掛け部９と取付部１０との折曲部を下方に垂下した突条部１４を設けている。
【００２６】
天井板３は通常の天井材を使用している。
【００２７】
吊り具４は、平板を略逆Ｕ字形に折曲し、両片１５、１６をそれぞれ平面逆Ｕ字形をなすように中央に切欠１７を形成し、両片１５、１６の端部またはその一方に引掛部１８を形成している。一片１６が取付部１０に当接し他片１５が垂下部１２に当接するように跨ぎ、引掛部１８を取付部１０と載せ掛け部９との間の外側下方に突出した突条部１４に引掛け、他の引掛部１８を垂下部１２の下端に引っ掛けてバー１、２を吊る。
【００２８】
Ｃチャンネル５はバー１、２に交差する断面Ｃ形のチャンネルの天井下地材であり、バー１、２の取付用平板１１に載せ、バー１、２毎に設けた吊り具４の切欠１７を通して吊り具４をＣチャンネル５に跨ぎ、これによりＣチャンネル５で吊り具４を介してバー１、２を吊持する。
【００２９】
照明器具６は、下面に反射板１９を設けた器具本体２０と、器具本体２０の下面に設けたランプソケット２１と、このランプソケット２１に装着された例えば直管形のランプ２２とを有する。この場合、ランプ２２の少なくとも一部が斜面板８の上端より下に位置するようにバー１、２に照明器具６を設置する。設置は、反射板１９の両側を器具本体２０より外方に延出し、その側縁部を載せ掛け部９に係載する。器具本体２０の高さを取付用平板１１よりも低くすることによりＣチャンネル５に当たらないので、バー１、２の長手方向の任意の位置に取付けることができる。
【００３０】
２３は連結金具であり、各バー１、２を長手方向に複数接続する場合に使用する。この連結金具２３は、図３に示すように、斜面板８の外面に当接する中間部２３ａと、載せ掛け部９の下面に当接する一側片２３ｂと、天井当接部７の上面に当接し、折返し部７ａとの間に先端が挿入される他側片２３ｃとからなる略コ字形をなしている。
【００３１】
２４は天井板３の側縁部に形成した溝３ａに下端縁部が嵌合するＨバーであり、バー１、２に直交する方向に延びている。
【００３２】
２５は設備プレートであり、図４に示すように上端側部より張り出した張出部２５ａが載せ掛け部１０に載せられ、下部は斜面板８間に挿入されている。
【００３３】
第１の実施の形態によれば、斜面板８を照明器具の反射面として利用することにより十分な反射機能を得ることができ、従来の横片を短縮することができ、構造を簡単にできる。
【００３４】
バー１、２が天井設備を載せる載せ掛け部９を斜面板８の上端部より天井板３に向けて延出したため、斜面板８の全体を反射面とすることができる。
【００３５】
バー１、２を取付ける取付部１０を、載せ掛け部９の天井板３側の端部に垂直に立設したため、取付部１０を垂直に立設することにより設備部材の横方向の移動を防止することができる。
【００３６】
取付部１０の上端部に取付用平板１１を有するため、取付用平板１１を天井下地のＣチャンネル５と密着させることにより、バー１、２の取付時の傾き防止が容易に行なえる。
【００３７】
取付用平板１１の自由端に垂下部１２を有するため、垂下部１２によりバー１、２の吊り具の移動防止が容易に行なえる。
【００３８】
ランプ２２の少なくとも一部が斜面板８の上端より下に位置するようにバー１、２に照明器具を設置したため、ランプ２２が斜面板８に位置することにより、照明の配光制御を斜面板８で行なうことができる。
【００３９】
照明器具はＣチャンネル５の下側に位置しているので、バー１、２の長手方向の任意の位置に移動することができる。
【００４０】
この発明の第２の実施の形態を図５に示す。第１の実施の形態において、設備プレート２５が斜面板８間に進入しない平板状に形成された例である。
【００４１】
この発明の第３の実施の形態を図６および図７に示す。第１の実施の形態において、ランプ２２の下部で斜面板８の前側に配光制御部材２６を配設したものである。配光制御部材２６はバー１、２の長手方向に列設されたルーバを例としたものである。このルーバはバー１、２または照明器具６に取付けることができる。
【００４２】
ランプ２２の下部で斜面板８の前側に配光制御部材２６を配設可能な構成を有するため、配光制御用ルーバをバー１、２等に取付けることにより照明の質の変化が可能になる。
【００４３】
この発明の第４の実施の形態を図８に示す。第３の実施の形態において、設備プレート２５を第２の実施の形態（図５）のように平板形にしている。この場合、ルーバ片が図（ｂ）のように設備プレート２５の下側にも連続して配設することができ、外観を良好にできる。
【００４４】
この発明の第５の実施の形態を図９から図１１に示す。すなわち、第１の実施の形態において、器具本体２０と各バー１、２との間に空調設備２７を配設している。図９は空調リターン部２７ａであり、器具本体２０の反射板１９の両側を上向きに折曲して載せ掛け部９との間に水平方向に開く隙間２８を形成する構成にしている。空気の流れが矢印のようになる。載せ掛け部９に平行な方向に隙間２８が形成されるので、天井裏が見えず、また下からみてもランプ２２で隙間２８がみえない。さらにバー１、２の上方の取付部１０によってランプ光を遮光し、天井板３の隙間２８からの光漏れを防止することができる。
【００４５】
図１０および図１１は空調リターン部２７ａと同じバーの長手方向に離れた位置または異なるバーの離れたバーに設けた吹き出しボックス２７ｂであり、吹き出しボック２７ｂを介してバー１、２と器具本体６とを連結している。また器具本体６より斜面板８と隙間３０をおいて平行に傾斜した反射板１９ａを設け、斜面板８と反射板１９ａの間を空調吹き出し口として利用し、バー１、２の斜面板８と反射板１９ａの下部に形成した略水平部で吹き出し方向を制御し、反射板１９ａと斜面板８との間に矢印のように空気の流れを形成して、吹き出し口の気流の制御を兼ね水平吹き出しを可能にしている。２９は吹き出しボックス２７ｂとバー２とを連結する連結部材であり、吹き出しボックス２７ｂのディフューザ取付部をバー２に密着し、取付ねじ３２によりバー２に取付けている。
【００４６】
図１２および図１３は、バー１、２の別の実施の形態の種々の形状を示すものである。図１２（ａ）は一対のバー１、２の取付用平板１１を連結部３１で相互に連結して一体とし、器具本体２０を内部に納めたものである。
【００４７】
図１２（ｂ）は斜面板８の上端部に載せ掛け部９を介さずに垂直に取付部１０を設け、取付部１０の上端に取付用平板１１を外向きに延出し、取付用平板１１に垂下部１２を形成し、器具本体２０を取付部１０に取付けている。
【００４８】
図１２（ｃ）はバー１、２を取付ける取付部１０を、天井当接部７の斜面板８側の端部に立設している。１０ａは取付部１０の上端部に形成した頭部であり、吊り具４の下端が頭部１０ａの首側に係止して取付部１０を吊持する。ハンガである吊り具４が頭部１０ａに係止するとき、載せ掛け部９の先端が吊り具４の側面の当たりになるのでバー１、２の傾きを防止できる。なお、取付部１０の高さの異なるものとして図１３（ｂ）のように取付部１０の高さを斜面板８の高さと同じかまたはそれ以下となるようにしている。
【００４９】
図１３（ａ）はバー１、２を取付ける取付部１０を、載せ掛け部９の天井板３側の端部より垂直に垂下し、取付部１０の下端で吊り具４の下端を係止する。
【００５０】
図１３（ｃ）は取付用平板１１を取付部１０の上端より外向きに曲げた例を示している。
【００５１】
図１３（ｄ）はその取付用平板１１に垂下部１２を形成している。
【００５２】
なお、バー１、２はアルミニウム等による押し出し成形が可能である。また斜面部８はわん曲傾斜したものでもよい。さらに取付部１０を設ける範囲Ｈは斜面板８の垂直投影面内にあることが好ましい。
【００５３】
【発明の効果】
請求項１記載のシステム天井によれば、斜面板を照明器具反射面として利用することにより十分な反射機能を得ることができ、従来の横片を短縮することができ、構造を簡単にすることができる。
斜面板の上端部より照明器具を載せる載せ掛け部を天井板に向けて延ばすことにより、斜面板の全体を反射面とすることができる。
バーを吊り具に取付ける取付部を垂直に立設することにより載せ掛け部に設置する設備部材の横方向の移動を防止することができる。
取付部の上端部に吊り具を取付けるための取付用平板を有するため、取付用平板に天井下地のＣチャンネルを密着させることにより、バーの取付時の傾き防止が容易に行なえる。
取付用平板の自由端に垂下部を有するため、垂下部によりバーの吊り具の移動防止が容易に行なえる。
【００６０】
請求項２記載のシステム天井によれば、請求項１と同様な効果のほか、ランプが斜面板に位置することにより、照明の配光制御を斜面板で行なうことができる。
【００６１】
請求項３記載のシステム天井によれば、請求項２と同様な効果のほか、例えば配光制御用ルーバをバーに取付けることにより照明の質の変化が可能になる。
【図面の簡単な説明】
【図１】この発明の第１の実施の形態の断面図である。
【図２】その要部斜視図である。
【図３】バーの連結金具を示し、（ａ）は断面図、（ｂ）は斜視図である。
【図４】（ａ）は設備プレートを示す断面図、（ｂ）は斜視図である。
【図５】第２の実施の形態を示し、（ａ）は設備プレートを示す断面図、（ｂ）は斜視図である。
【図６】第３の実施の形態の断面図である。
【図７】（ａ）は断面図、（ｂ）は斜視図である。
【図８】第４の実施の形態を示し、（ａ）は断面図、（ｂ）は斜視図である。
【図９】第５の実施の形態の空調リターンを示す断面図である。
【図１０】空調吹き出しボックスを示す断面図である。
【図１１】空調吹き出しボックスを示す断面図である。
【図１２】その他の実施の形態の断面図である。
【図１３】その他の実施の形態のバーを示す断面図である。
【符号の説明】
１    バー
２    バー
３    天井板
４    吊り具
５    Ｃチャンネル
６    照明器具
７    天井当接部
８    斜面板
９    載せ掛け部
１０    取付部
１１    取付用平板
１２    垂下部
１３    間隔
２０    器具本体
２２    ランプ
２６    配光制御部材
【図１】
0003953719.tif 000002
【図２】
0003953719.tif 000003
【図３】
0003953719.tif 000004
【図４】
0003953719.tif 000005
【図５】
0003953719.tif 000006
【図６】
0003953719.tif 000007
【図７】
0003953719.tif 000008
【図８】
0003953719.tif 000009
【図９】
0003953719.tif 000010
【図１０】
0003953719.tif 000011
【図１１】
0003953719.tif 000012
【図１２】
0003953719.tif 000013
【図１３】
0003953719.tif 000014